(57)【要約】  本発明は、制御コマンドにより起動されることができる機能を持つ制御可能な装置（１）であって、前記装置は、制御コマンド（ＣＩ）及び確認信号（ＡＣＫ）のための入力システム（７）を有し、前記入力システム（７）は、受信された制御コマンド（ＣＩ）を認識するための認識システム（９）及び受信された確認信号（ＡＣＫ）を検出するための検出システム（２９）に接続され、制御可能な装置（１）は更に、以前に受信された制御コマンドのための確認信号（ＡＣＫ）を要求するための要求システム（２８）を有し、前記装置は更に、確認されるべきそれぞれの制御コマンドを表す個々のコマンド情報アイテム（ＶＣＭＩ、Ａ−ＣＭＩ）を含むコマンド情報メモリ（２７）を含み、制御システム（２５）が、制御コマンド認識システム（９）に接続され、該認識手段（９）により認識された確認されるべきそれぞれの制御コマンド（ＣＩ）について、メモリ（２７）から当該制御コマンド（ＣＩ）を表す前記個々のコマンド情報アイテムを読み出し、確認信号（ＡＣＫ）を要求するため確認要求情報として前記要求システム（２８）に配信するように構成された、制御可能な装置（１）に関する。
2008507181.tif 000002
【特許請求の範囲】
【請求項１】
制御コマンドにより起動されることができる機能を持つ制御可能な装置であって、前記装置は、
制御コマンド及び確認信号のための入力手段と、受信された制御コマンドを認識するための前記入力手段に接続された認識手段と、受信された確認信号を検出するための検出手段と、以前に受信された制御コマンドのための確認信号を要求するための要求手段と、確認されるべきそれぞれの制御コマンドを表す個々のコマンド情報アイテムを保存するためのコマンド情報記憶手段と、前記認識手段に接続された制御手段と、を有し、前記制御手段は、前記認識手段により認識された、確認されるべきそれぞれの制御コマンドについて、前記記憶手段から当該制御コマンドを表す前記個々のコマンド情報アイテムを読み出し、確認信号を要求するため確認要求情報として前記要求手段に配信するように構成された、制御可能な装置。
【請求項２】
前記検出手段は、比較器手段を利用することにより前記確認信号を検出するように構成され、前記比較器手段は、前記認識手段から、前記それぞれの制御コマンドに関連するデータを受信するように構成され、前記比較器手段は更に、それぞれの以前に受信された制御コマンドに関連するデータを保存するための一時記憶手段に接続され、前記一時記憶手段は前記認識手段に接続され、前記比較器手段は、前記一時記憶手段から、前記それぞれの以前に受信された制御コマンドのデータを受信し、該データを確認信号として再送信された制御コマンドのデータと比較し、前記データが一致した場合には意図された機能を起動するために制御信号を発信するように構成された、請求項１に記載の制御可能な装置。
【請求項３】
前記確認信号を要求するための前記要求手段は、ビデオ情報により形成される画像の形で、コマンド情報アイテムを再生するように構成された画像再生手段を有する、請求項１に記載の制御可能な装置。
【請求項４】
前記確認信号を要求するための前記要求手段は、ビデオ情報により形成されるコマンド情報アイテムの画像を再生することができる画像再生手段、及び／又はオーディオ情報により形成されるコマンド情報アイテムを音響的に再生することができる音声再生手段を含む、請求項１に記載の制御可能な装置。
【請求項５】
前記コマンド情報記憶手段は、前記制御コマンドに割り当てられた制御ボタンを表すビデオ情報アイテムを保存するように構成された、請求項３又は４に記載の制御可能な装置。
【請求項６】
前記画像再生手段は、ビデオ表示画面により形成される、請求項３又は４に記載の制御可能な装置。
【請求項７】
前記画像再生手段は、グラフィカルな情報に文字又は数字の情報を重畳するためのＯＳＤモジュールを備えた、請求項６に記載の制御可能な装置。
【請求項８】
前記制御手段は、前記確認信号を送信するための時間間隔を定義するためのタイマを備えた、請求項１に記載の制御可能な装置。
【請求項９】
確認モードと、制御コマンドの確認を含まない通常制御モードとの間で、前記制御可能な装置を切り換えるための切り換え手段が備えられた、請求項１に記載の制御可能な装置。
【請求項１０】
前記切り換え手段が前記制御手段に割り当てられた、請求項９に記載の制御可能な装置。
【請求項１１】
前記入力手段がリモート制御手段として構成された、請求項１に記載の制御可能な装置。
【発明の詳細な説明】
【技術分野】
【０００１】
本発明は、制御コマンドにより起動されることができる機能を持つ制御可能な装置であって、制御コマンド及び確認信号のための入力手段と、受信された制御コマンドを認識するため前記入力手段に接続された認識手段と、受信された確認信号を検出するための検出手段と、以前に受信された制御コマンドについて確認信号を要求するための要求手段とを有する装置に関する。
【背景技術】
【０００２】
斯かる装置は、米国特許出願US2002/0015107A1から既知である。特に、該既知の装置は、番組リンクを供給することによりテレテキスト情報又はテレテキストページのための要求又はアクセスを単純化することを意図された、テレテキスト機能を持つテレビジョン装置である。リモート制御手段上のボタンの故意でない操作を訂正する特別な方法として、リモート制御手段により斯かるテレテキストページにアクセスする状況において、テレビジョン装置の表示画面を介してプロンプトが送信され、第１のボタン（確認ボタン）が確認のために押下されること、又は第２のボタン（キャンセルボタン）がリモート制御手段を介して以前に入力された制御コマンドをキャンセルするために押下されることを要求する。ここでの不利な点は、どの制御コマンドが実際に以前に入力されたかがユーザにとって不確実であること、及び確認及びキャンセルのために特定のボタンが押下される必要がある点である。また、リモート制御手段のキーパッド中でこれらボタンを見つけ出す必要があり、このこともまた不運にも誤りを起こし易い。
【発明の開示】
【発明が解決しようとする課題】
【０００３】
これに関連して、例えばビデオレコーダ、ハイファイ（hi-fi）ステレオ、ＤＶＤプレイヤ等を持つＴＶセットのような、制御コマンドにより起動され得る機能を持つ現代の制御可能なシステムを制御するためには、多くのボタン（多数の実行可能な機能に対応する）を持つ比較的高価なキーパッドが通常備えられていることを忘れてはならない。これらのボタンは、前記システム及び／又は関連するリモート制御手段に直接装着されている。特に消費者向け電子機器において、システムを制御するための多数の機能及びそれ故多数の関連するボタンのために、誤りが容易に為され得る（不慣れな人物によってのみではない）という事実に加えて、他の困難さは、例えばＴＶセットでテレビジョン映画を鑑賞している際には部屋の照明がしばしば弱められており、そのため制御ボタンを見ることが困難であり、意図しない制御コマンドを故意でなく送信してしまうことに導き得る点である。以前に送信された制御コマンド（例えば操作に関連して起動されるべき機能）を確認するためのプロンプトによる通知が便利である。また、例えば特別なボタンのライト及び／又はカバーする蓋を備えたリモート制御装置を具備する等、通常の使用のために幾つかの重要なボタンを利用不可能にするための他の手段が備えられるべきである。しかしながら、テレテキスト情報にアクセスするための上述のUS2002/0015107A1により開示されたシステムは、上述の視覚的なプロンプトを利用することにより、受信された制御コマンドを確認又はキャンセルする場合に不十分である。なぜなら、確認又はキャンセルのための特別なボタンが、実際には新たなエラーの原因を構成するからである。この設計はまた、以前に受信された制御コマンドに関連する情報が利用可能でない（例えば通知メッセージがない）ときの確認に関しても不十分である。
【０００４】
本発明の目的は、該状況を改善し、導入部において述べた一般的なタイプのシステムを改善し、それにより、制御可能なシステムの実際に意図された機能を起動するために、該改善されたシステムが、個人が受信された制御コマンドを直感的な態様で認証及び確認することを可能とするようにすることである。
【０００５】
他の目的は、制御コマンドを入力するために既に利用可能なボタンで間に合わせ、付加的な確認又はキャンセルボタンを必要としないことである。
【０００６】
本発明の目的はまた、通知の形、とりわけ可視の通知の形をとる確認プロンプトを提供することにある。ここで該通知は入力された制御コマンドを一意に示し、光学手段により明確に知覚可能である。
【課題を解決するための手段】
【０００７】
本発明の主な態様によれば、本発明による装置は、本発明によるシステムが以下に示されるよう特徴付けられるように、本発明による特徴を備えられる：
制御コマンドにより起動されることができる機能を持つ制御可能なシステムであって、前記装置は、
制御コマンド及び確認信号のための入力手段と、受信された制御コマンドを認識するための前記入力手段に接続された認識手段と、受信された確認信号を検出するための検出手段と、以前に受信された制御コマンドのための確認信号を要求するための要求手段と、確認されるべきそれぞれの制御コマンドを表す個々のコマンド情報アイテムを保存するためのコマンド情報記憶手段と、前記認識手段に接続された制御手段と、を含み、前記制御手段は、前記認識手段により認識された、確認されるべきそれぞれの制御コマンドについて、前記記憶手段から当該制御コマンドを表す前記個々のコマンド情報アイテムを読み出し、確認信号を要求するため確認要求情報として前記要求手段に配信するように構成された、制御可能なシステム。
【０００８】
該制御可能な装置において、各制御コマンドはそれ故、関連するコマンド情報記憶手段に保存された特定の代表コマンド情報を備えられる。制御コマンドが送信されると、該制御コマンドに属する個々の情報アイテムが前記コマンド情報記憶手段から読み出され、直前に送信された該制御コマンドの確認を要求するための情報として（例えば光学的に及び／又は音響的に）再生される。それ故、送信された、確認されるべき制御コマンドについての一意の通知が得られ、これにより制御コマンドが一意に識別され、実際に意図された制御コマンドが以前に送信されたか（又は誤った制御ボタンが押下されたか）をチェックすることが可能となり、それ故該送信された制御コマンドが確認されるべきか否かについての決定を容易化する。
【０００９】
勿論、該制御可能なシステムに備えられた全ての制御コマンドが上述の方法によって確認される必要があるわけではなく、ＴＶシステム、ステレオ及び同様の消費者向け電子機器のような多くの種類の制御可能なシステムにおいて、例えば音響再生の音量の上げ下げのために、又は自動放送局サーチを開始するために、確認のない制御コマンドを可能とすることを想定することが可能であることは、ここで明確に述べられておくべきである。しかしながら、通知を伴う確認手順は、例えば第１の局から第２の局への切り換え、又は一般的に言えば他の情報源又は以前の情報源への切り換えのような、直接の機能切り換えを必要とする制御コマンドについて便利である。
【００１０】
確認信号のためのそれぞれの通知又は要求は、制御可能なシステムのタイプに依存して、光学的及び／又は音響的に実行されても良い。可能である場合には、確認信号のために可視の通知及び要求を提供することが好ましく、この場合には、ＴＶシステムの場合ではＴＶシステムのＴＶ画面自体が利用され得る。しかしながら、ビデオ画面は備えないが、例えばＬＣＤ（liquid crystal display）ディスプレイ等のようなディスプレイは備える、多くの消費者向け電子機器システムがあり、それ故光学的な通知及び確認のプロンプトは斯かるディスプレイを利用して実行されても良い。これらの場合には、利用可能なラウドスピーカ又はヘッドフォンを利用して、確認のために音響のプロンプトをも実行することが好ましい。それ故、適切な個々のコマンド情報アイテムが、前記コマンド情報記憶手段にビデオデータ及び／又はオーディオデータとして保存され、対応する制御コマンドの受信又は入力に続いて、制御手段が関連するメモリアドレスを確立し、このように割り当てられたアドレスを利用して、該制御コマンドに属する情報（例えば「コマンド情報」）を確認情報記憶手段から読み出し、確認信号を要求するために該情報を確認要求情報として関連する光学又は音響手段へと出力する。
【００１１】
本発明による技術によれば、以前に通知された制御コマンドを繰り返すことによって、確認がとりわけ有利な方法で実行される。即ち制御コマンドを送信するために以前に操作された制御ボタンが、このために好適に用意された所定の時間ウィンドウで、確認のため再び押下される。該時間ウィンドウは、例えば約３秒の時間間隔であり、該時間間隔の間に、制御コマンドの確認が行われる必要がある。該時間間隔が経過しても（確認ボタンとしての）制御ボタンが押下されず、その後に押下された場合は、当該後の操作は新たな制御コマンドの送信を意図するものと解釈され、確認が再びプロンプト提示され、前記所定の時間間隔が再び開始する。
【００１２】
本発明による制御可能な装置の斯かる実施例においては、以前に送信された制御コマンドが確認のために繰り返される必要があるため、確認信号を検出するための検出手段が、制御コマンド認識手段からそれぞれの制御コマンドに関連するデータを受信する比較器手段により形成されることが有利である。ここで、前記比較器手段は更に、それぞれの以前に受信された制御コマンドに関連するデータを保存するための一時記憶手段に接続され、前記一時記憶手段は前記認識手段に接続され、前記比較器手段は、前記一時記憶手段から、前記それぞれの以前に受信された制御コマンドのデータを受信し、該データを確認信号として再送信された制御コマンドのデータと比較するように構成される。２つの制御コマンドデータが合致した場合、該装置の意図された機能を起動するため制御信号が発せられる。前記比較手段において比較されるデータは例えば、制御コマンドに割り当てられ、例えば赤外線によりリモート制御手段により送信された保存されたコード信号であっても良いし、又はコード信号と関連するアドレスデータであっても良い。即ち勿論、前記比較手段に全てのコマンド情報を供給する必要はない。
【００１３】
送信された制御コマンドの通知及び確認のためのプロンプトの間にビデオ情報が再生されることがとりわけ好ましいことが分かっている。これらビデオ情報アイテムは、対象となっている制御コマンドに割り当てられた制御ボタン（例えばリモート制御手段上で押下されたボタン又は該システム自体上のボタン）を表す。このことは、即座に理解し易い光学的な通知及びプロンプトを提供する。なぜなら、ボタンの記号は迅速に認識され得るからである。この場合、例えばリモート制御手段上の、対応するキーパッドにおける押下されたボタンの隣の制御ボタンを表示することも好ましい。この場合、以前に押下された制御ボタンは、例えば画像の中央に配置され及び／又は強い色の強度によって強調されて表現され、該制御ボタンを認識しキーパッド中で見つけ出すことを容易にする。記号を伴うボタンの配置のみを表示する場合は、制御ボタン画像と組み合わせて、例えばＴＶチャネルの名前やテキスト「タイマ」等、短い補足的なテキストが更に再生されても良い。
【００１４】
ビデオ画面が利用可能であり、且つ画像が既に該画面に表示されている場合には、とりわけボタン記号の形をとる、確認プロンプトの視覚的な再生は、従来の所謂ＯＳＤ（on screen display）モジュールを利用して、当該制御コマンドのグラフィカルな情報の重畳された表現により実行されても良い。この場合、確認のための通知及びプロンプトに関連する情報の（半）透明な表現が考えられ得、これにより実際に表示されているテレビジョン映画のような画像が、あまり見えにくくされない。
【００１５】
確認信号を送るためのプロンプトは、確認信号が送信された直後に終了し、このことは制御手段により為される。
【００１６】
該制御可能な装置が、制御コマンドの確認が必須ではない通常制御モードと、上述の確認モードとの間で切り換え可能であることが特に好ましい。それ故、好適な実施例においては、とりわけ前記制御手段に割り当てられても良い、適切な切り換え手段が備えられる。
【００１７】
本発明のこれらの及び他の態様は、以下に説明される実施例を参照しながら説明され明らかとなるであろう。しかしながら本発明はこれらに限定されるものではない。
【発明を実施するための最良の形態】
【００１８】
図１は、本例の場合にはＤＶＤユニット２、リモート制御手段３及び画像再生装置４を伴うＴＶシステムである制御可能な装置１を模式的に示す。ＴＶ画面は画像再生装置４として備えられる。装置１は更に、例えば赤外線を利用して送信されるリモート制御コマンドのための受信手段５、及び装置１自体即ち前記ＴＶシステムに備えられる入力キーパッド６を含む。リモート制御手段３、受信手段５及び入力キーパッド６は、破線により示された四角形により図１において示される、入力手段７を形成する。これら入力手段７は、制御プロセッサ手段８に接続される。制御プロセッサ手段８は、入力手段７を介して供給された制御コマンドを認識するための認識手段９を含む。例えばリモート制御手段３上の、又は入力キーパッド６上の、意図される制御ボタンを押下することにより、対応する制御コマンドＣＩが、コード信号の形で制御プロセッサ手段８に供給され、これら制御コマンドＣＩ又はコード信号が認識手段９により認識され、以下に詳細に説明されるような更なる信号処理へと供給される。装置１は更に、とりわけ前記制御コマンドを処理するように意図され設計された信号処理手段１０を含む。信号処理手段１０は、それぞれの制御コマンドＣＩに対応する機能（例えば他の局チャネルへの切り換え、又は再生音量、明るさ等の変更）を起動するために利用されるものである。
【００１９】
図示される実施例においては、信号処理手段１０は、入力選択及びチャネル選択のための入力段１１に接続される。該入力段１１は、チューナ１２を介してアンテナ１３に接続され、それ自体知られた従来の方法で、ディジタルビデオ入力１４及びScart入力ソケット１５を更に持つ。信号処理手段１０は更に、ＤＶＤユニット２に接続される。該ＤＶＤユニット２は特に、ＤＶＤ読み取り／書き込みシステム１６及びそれに接続されたＤＶＤドライブ１７を含む。信号処理手段１０はまた、ビデオ出力１８及びオーディオ出力１９をも持ち、これら出力１８及び１９はオーディオ／ビデオ出力プロセッサ手段２０に接続される。該オーディオ／ビデオ出力プロセッサ手段２０により、ここでもまた従来の態様で、画像再生手段４によりビデオ出力２１を介して画像再生が最終的に実行され、音声再生手段２３によりオーディオ出力２２を介して音声再生が実行される。従来の方法で、Ｓ−ビデオ、Scart及び同様の出力のような他の出力が、出力プロセッサ手段２０に備えられても良い。図１は、斯かる更なる出力の例としてＳ−ビデオ出力２４を示す。
【００２０】
送信された制御コマンドを認識するための認識手段９に加え、制御プロセッサ手段８はまた、制御手段２５を含む。制御手段２５は、受信された制御コマンドＣＩが認識されたときに、コマンド情報記憶手段２７中の関連するメモリ位置のアドレスを、関連するアドレス記憶手段２６中で探し、次いでこれらアドレスを利用して、コマンド情報記憶手段２７から個々のコマンド情報アイテムを読み出す。制御コマンドが確認されるべき場合には、確認が要求されるこれら制御コマンドＣＩのそれぞれが、該制御コマンドＣＩを表す個々のコマンド情報アイテムを個別に割り当てられているべきである。該コマンド情報アイテムは、ビデオコマンド情報Ｖ−ＣＭＩ及び／又はオーディオコマンド情報Ａ−ＣＭＩの形をとり、該それぞれのコマンド情報アイテムは次いで、前記制御コマンドの入力についての通知として、及びとりわけ確認要求情報として、関連する表示手段及び／又は再生手段に配信される。斯かる確認信号ＡＣＫを要求するため、この場合には好ましくは既に備えられた再生手段、例えばとりわけ画像再生手段４（ＴＶ画面又はビデオ画面）及び音声再生手段２３により形成される、要求手段２８がある。この場合には、確認信号ＡＣＫを要求するための要求手段２８は通知のためにも利用され、それ故通知手段と呼ばれても良い。
【００２１】
更に、制御プロセッサ手段８はまた、好ましくは所定の最大時間内に、通知のために利用される要求手段２８による対応するプロンプトの結果として、入力手段７を介して送信される確認信号ＡＣＫを検出するための検出手段２９を含む。これにより、以前に送信され確認されるべき制御コマンドの確認が時間内に実行された場合には、制御プロセッサ手段８は、通知のために利用されている要求手段２８におけるコマンド情報の視覚的又は聴覚的な再生を終了し、意図される制御コマンドＣＩを表す制御信号が、これら信号処理手段１０により従来の方法でシステム１の意図された機能を起動するために、信号処理手段１０に配信される。
【００２２】
それぞれのコマンド情報を、コマンド情報記憶手段２７から、通知のために利用されている要求手段２８へと配信するため、信号処理手段１０は、信号処理手段１０の出力１８及び１９に、対応するビデオ情報及びオーディオ情報を供給する、対応する制御ユニット３０を備える。コマンド情報記憶手段２７から読み出されたビデオコマンド情報アイテムＶ−ＣＭＩを、それ自体画像再生手段４上で現在再生されている画像に重畳するために、グラフィカル情報経路に所謂ＯＳＤモジュール３２が好ましくは備えられる。斯かるＯＳＤモジュール３２は、ＯＳＤエンジンとも呼ばれ、それ自体が従来のものであり、更なる説明はここでは必要としない。グラフィカル情報の重畳は好ましくは、重畳された画像が略透明であり、そのため例えばＴＶ映画のような、「後に」再生されているビデオ画像が完全に不明瞭にされず、可視のままであるようなものである。
【００２３】
画像再生手段４、即ち本例においてはＴＶ画面に配信されたビデオコマンド情報アイテムＶ−ＣＭＩは好ましくは、意図された制御コマンドＣＩを送信するために押下されたそれぞれの制御ボタンを表す。このことは図２に示される。それぞれのキーパッド（リモート制御手段３上又は入力キーパッド６上の）の隣接する制御ボタンもが好ましくは、図２に示されるように再生される。図２においては、タイマ機能に割り当てられた制御ボタン３３が、視覚的に知覚可能な即ちグラフィカルな態様で強調されて中心に表示され、該制御ボタン３３に加えて隣接するボタンもまた表示されている。短い補足的なテキスト３４（図示された例においては「タイマ」というテキスト）もまた、図２に示された実施例においては再生され、必要に応じて制御ボタン３３についての補足的なテキストの情報を提供する。
【００２４】
通知としての及び確認を要求するための情報としての、それぞれのボタン画像の斯かる光学的な再生は、対象となる個人、即ちユーザによって認識され、ひと目で直接的に理解されることができる。加えて、送信された制御コマンドを確認するための本発明による技術の他の特に好適な特徴によれば、以前に押下された制御ボタンのグラフィカルな表現を画像表示手段４を介して表示することによって、明らかに認識可能な示唆が提供され、それに対して確認ボタン（即ち確認信号ＡＣＫを送信するためのボタン）として制御ボタンが操作されるように、該制御コマンドを送信するために操作されるボタンが再び操作される必要がある。当該形態の通知、及び確認を送信するための当該直接的な方法は、エラー即ち意図されない操作を略排除することができる。
【００２５】
図３は、制御プロセッサ手段８に関して詳細がより明らかに示された、図１に類似する制御可能な装置１の一部を模式的に示す。
【００２６】
図１に関連して既に言及したように、入力手段７を介して入力された制御コマンドＣＩは、認識手段９により登録及び認識され、次いでコマンド情報記憶手段２７のための制御コマンドＣＩに関連するメモリアドレスが、制御手段２５によってアドレス記憶手段２６において見出される。該メモリアドレスを利用して、対応するビデオコマンド情報アイテムＶ−ＣＭＩ及び／又はオーディオコマンド情報アイテムＡ−ＣＭＩが次いでコマンド情報記憶手段２７から読み出され、更なる手段１０及び２０に配信されて、最終的に対応する光学的又は音響的な通知が、該通知のために利用される要求手段２８上で、該制御コマンドについての確認信号ＡＣＫを要求することを可能とする。確認を要求するための情報としてのコマンド情報の当該通知又は再生の目的は、所定の比較的短い時間間隔の間（例えば３秒の間）に、確認信号ＡＣＫが入力手段７を介して制御プロセッサ手段８に配信され、制御プロセッサ手段８において、検出手段２９を利用して、入力された制御コマンドＣＩに対応するシステム１の意図された機能を最終的に起動することが確認されることである。確認を実行するために必要とされる時間間隔はとりわけ、制御手段２５に割り当てられ、該時間間隔を確立するためのタイマ３５を形成する、クロック生成器から得られるクロック信号から得られても良い。該時間間隔は次いで、例えば上述の３秒、４秒又は５秒といった所望の時間に、制御手段２５によって設定されても良い。
【００２７】
図３による実施例においては、検出手段２９は、一方で直接に、他方で一時記憶手段３７（例えばレジスタ又はＲＡＭ）を介して、入力側の認識手段９に接続された、比較器手段３６を持つ。認識手段９と同様に、比較器手段３６又は一時記憶手段３７は制御手段２５に接続され、とりわけ所定の時間ウィンドウに合致する間、制御コマンドを認識し、確認信号ＡＣＫを検出するための手順を制御する。
【００２８】
一時記憶手段３７において、入力された制御コマンドＣＩが前記所定の時間間隔の間一時的に記憶され、確認信号ＡＣＫとして再送信された制御コマンドＣＩが次いで、２つの制御コマンドの比較のために、直接接続手段３８を介して比較器手段３６に配信される。該比較は、該２つの制御コマンドを表すデータ又はコード信号に基づいて実行される。比較器手段３６の入力における該２つの制御コマンドが一致した場合、制御可能なシステム１の意図された機能を起動するための対応する制御信号が、比較手段３６の出力３９に送信される。同時に、コマンド情報ＣＭＩの再生、即ち確認信号ＡＣＫを要求するための情報が、通知のために利用されている要求手段２８において終了される。
【００２９】
図３はまた切り換え手段４０を模式的に示しており、該切り換え手段４０によって、以上に示され説明された確認モードから、通常制御モードへと切り換えることが可能である。通常制御モードにおいては、それぞれの機能を起動するために、認識手段９の出力信号が、接続手段４１を介して、制御可能なシステム１の手段１０及び２０に直接に配信される。更に、図３はまた処理手段１０及び２０内に、対応する制御信号の受信に応じて意図された機能を起動するための実装手段４２を模式的に示す。
【００３０】
例えば音量制御の場合のように、制御コマンドの送信が該制御コマンドの確認を必要としない場合には、切り換え手段４０はまた、通知及び確認を要求するために意図される手段を起動することなく、該制御コマンドＣＩを制御手段４１を介して直接配信するために利用されても良い。この目的のために、制御手段２５は制御コマンド記憶手段４３を備えても良い。該制御コマンド記憶手段４３において、確認を必要としない制御コマンドのためのデータ又はコードが保存される。勿論これに代えて、又はこれに加えて、記憶手段４３が確認信号ＡＣＫの要求が記述される制御コマンドのデータ又はコードを記憶することも想定することができ、この場合には検出手段２９及び他の必要とされる手段が制御手段２５によって起動される。
【００３１】
結合された図４ａ及び４ｂ（図４ｂの上部が図４ａの下部から続いている）は、制御コマンドを送信し、確認信号ＡＣＫを要求及び入力し、制御可能なシステム１において制御コマンドＣＩに対応する機能を起動するための、とり得る手順を説明するためのフロー図を示す。
【００３２】
制御コマンドが例えばリモード制御手段３を介して入力されたか否かの問い合わせが、例えばミリ秒又はセンチ秒の間隔で、ブロック４４によって周期的に為される。制御コマンドＣＩが入力された場合、制御コマンドＣＩが新たな設定を起動するための設定制御コマンドであるか否かの問い合わせが更なるブロック４５によって為され、そうであればブロック４６による設定手順（図５を参照して後に詳細に説明される）へとジャンプが為される。斯かる再設定は、制御可能な装置１が新たなリモード制御手段３を備えられたときはいつでも実行される。例えばこの場合には、リモード制御手段３によって送信されたもののような個々の制御コマンドは、以前とは異なるコード信号に割り当てられ得、それによりコマンド情報記憶手段２７におけるコマンド情報アイテムの再割り当てが、アドレス記憶手段２６を利用して実行される必要がある。
【００３３】
図４ａによれば、入力された制御コマンドＣＩが設定制御コマンドＣＩでない通常のケースとして認識されるべきケースにおいては、ブロック４５に続いてブロック４７において、入力された制御コマンドＣＩが、例えば音量を増大若しくは減少させるための又は類似の機能のための制御コマンドＣＩのような、直接に実行されるべき制御コマンドＣＩであるか否かのチェックが為される。肯定である場合、ブロック４８による手順の終了（図４ｂを参照）へとジャンプが即座に為され、押下された制御ボタンにより機能が起動され又は実行される。しかしながら、同一の制御ボタンを再び押下することにより確認信号ＡＣＫによって確認を必要とする制御コマンドＣＩである場合には、ブロック４９によって、押下された制御ボタンが切り換えボタンであるか否かのチェックが為される。肯定である場合、ブロック５０によって、前回の該切り換えボタンの操作が所定の時間間隔（例えば約３秒）よりも前に行われたか否かの問い合わせが為される。否であれば、ブロック４８へと進む（図４ｂを参照）。そうでなければ、ブロック４９における問い合わせ結果が否である場合には、ブロック５１に進み、該ブロック５１により、操作された制御ボタン、又は該制御ボタンを利用して送信された制御コマンドＣＩに関連するアドレスが、制御情報記憶手段２７中の対応する個々のビデオ情報アイテムについてのアドレスメモリ手段２６から読み出される。続いて、ブロック５２により、読み出されたビデオ情報アイテムが信号処理手段１０、及びとりわけＯＳＤモジュール３２に配信され、ビデオ情報即ちとりわけ（図２に示されたような）関連するボタン画像３３が、任意に関連するテキスト情報３４と共に、前記ＯＳＤモジュールを利用して画像再生手段４上に、視覚的に知覚可能な（半）透明の重畳の形で最終的に再生される。
【００３４】
ビデオデータは、コマンド情報記憶手段２７中に、圧縮された形態で保存されても良い。アドレス記憶手段２６と同様に、コマンド情報記憶手段２７は、所謂フラッシュメモリ手段により形成されても良い。ビデオ情報アイテムが圧縮された形態で保存される場合は、データ圧縮は信号処理手段１０又はＯＳＤモジュール３２において実行されても良い。
【００３５】
後続する手順において、ブロック５３により、音声再生手段２３（ラウドスピーカ）を介した通知、及びラウドスピーカ手段２３を介した確認信号ＡＣＫの対応する要求が意図又は所望されているか否かの問い合わせが為される。肯定である場合は、ブロック５４により、対応するオーディオコマンド情報アイテムＡ−ＣＭＩもまたコマンド情報記憶手段２７から読み出され、音声再生手段２３による再生のためにユニット３１を介して信号処理手段１０へ配信される。ここでもまた、受信された制御コマンドをアドレス記憶手段２６を利用して対応するアドレスに割り当てた後に、対応するオーディオ情報がコマンド情報記憶手段２７において見出される。ユニット３１は更に、前記オーディオ情報を現在再生されているオーディオ信号と混合することにより該オーディオ情報を重畳しても良い。
【００３６】
オーディオ通知が行われることが意図されていない場合、又はオーディオ通知及び確認信号ＡＣＫのための音響的な要求が起動されている場合（ブロック５４）、ブロック５５が、３秒の時間が経過したか否かを確認する。肯定である場合には、ブロック５６によって、新たな制御コマンドＣＩが受信されたか否かの問い合わせが為される。しかしながら否である場合には、ブロック５５へと戻り、従って更に３秒間待機して、新たな制御コマンドＣＩが受信されたか否かの問い合わせが再び為される。
【００３７】
しかしながら、ブロック５６による問い合わせが、新たな制御コマンドＣＩ（確認信号ＡＣＫである可能性がある）が受信されたことを示す場合には、続いてブロック５７によって、該制御コマンドが、以前に送信された制御コマンドＣＩと同一の制御コマンドＣＩであるか否かの問い合わせが為される。肯定である場合、ブロック５８によって、ＯＳＤモジュールが前記重畳された画像グラフィック即ちいずれかのテキスト情報３４を伴うボタン画像３３の再生を終了する命令を受け、ブロック４８により、送信された制御コマンドに対応する機能が実行される。
【００３８】
しかしながら、ブロック５７における問い合わせの結果が、他の制御ボタンが押下された、即ち以前に送信されたものとは異なる制御コマンドであるというものである場合、以前の制御コマンドＣＩを確認する確認信号ＡＣＫはなく、手順はブロック４５に戻る。該ブロック４５により、設定制御コマンドであるか否かの最初の問い合わせが為され、その後、図４ａ及び４ｂによる残りの手順が実行される。
【００３９】
実際には、ＴＶセット、ｈｉ−ｆｉ、ビデオレコーダ、ＤＶＤプレイヤ又は斯かるシステムの組み合わせのような制御可能な装置１は、確認が行われる必要がある制御コマンドの再設定と、確認を必要としない制御コマンドの再設定を必要とし得る。斯かる再設定の必要性は、例えば修復不可能な故障が発生した場合のように、既存システム１のリモートの制御手段３が交換される必要がある場合にも生じる。これらの場合は、特に表示のための制御ボタンについてのグラフィカル情報としてのボタン画像、とりわけ通知の光学的表示即ちビデオコマンド情報アイテムＶ−ＣＭＩ及び確認信号ＡＣＫの要求の（再）割り当てを必要とする。同様のことは勿論、音響の通知及び確認信号ＡＣＫの要求にも当てはまる。
【００４０】
完全さのため、ブロック４６による斯かる設定手順が、図５を参照しながら以下に説明される。ここでは、開始ブロック５９の後、ブロック６０において、全ての利用可能な制御コマンド及び関連するボタン画像、並びに任意に関連する音響情報アイテムの「リスト」が、リモート制御手段３から制御プロセッサ手段８へ通信される。ブロック６１において、ビデオ／画像及びオーディオファイルが次いで、任意にデータ圧縮が実行される信号処理手段１０を介して、コマンド情報記憶手段２７に配信される。これと並行して、アドレス記憶手段２６が保存され、一方で制御コマンド又は該コマンドのコード信号とコマンド情報記憶手段２７におけるボタン画像及びオーディオ情報アイテムのメモリアドレスとの間のリンクを含む、一種のテーブルがコンパイルされる。
【００４１】
関連するコマンド情報アイテムを伴う全ての制御コマンドのリストが、例えば以下の表１に従い、リモート制御手段３から制御プロセッサ手段８へと通信されても良い。
【表１】
2008507181.tif 000003
【００４２】
ここで、グラフィカルデータ即ちビデオデータ（ボタン画像）は例えばＪＰＥＧファイルの形で保存されることが仮定されるが、例えばＧＩＦ又はＴＩＦＦのような他の画像フォーマットも勿論可能である。
【００４３】
これに応じて、制御コマンドと対応するコマンド情報アドレスとの間の割り当てが、例えば以下の表２に従って、ブロック６１において実行される。
【表２】
2008507181.tif 000004
【００４４】
最後に、図５はまた、ブロック６１に続いて、ブロック６２によって、最後のデータレコードが通信されたか否かの問い合わせが為されることを示す。そうであれば、設定手順４６の終了がブロック６３により到達され、図４による手順の先頭に戻る。しかしながら、全てのデータレコードが通信されてはいない場合は、ブロック６０へと戻る。
【００４５】
本発明は、以上において、特に好適な実施例を参照しながら詳細に説明された。例えば、通知及び確認信号要求即ちビデオコマンド情報Ｖ−ＣＭＩの光学的な再生が、ＬＣＤディスプレイ又はＬＥＤディスプレイを利用して実行されるような変形及び変更が、本発明の範囲内で可能である。また例えば、光学的な通知及び確認信号要求のみを提供することも可能である。確認信号を利用した制御コマンドの確認は更に、既に備えられたマイクロプロセッサ中のソフトウェアモジュールによって実行されても良く、これにより既存の制御可能な装置１が、本発明による技術を比較的容易に「後付け」されても良い。
【図面の簡単な説明】
【００４６】
【図１】ＤＶＤ再生システムを伴うテレビジョンシステムの形をとる、本発明による制御可能な装置のブロック図を模式的に示す。
【図２】確認信号を送信するための視覚的な通知及び同時のプロンプトのための制御ボタンの画像表示を伴う、制御可能な装置を構成するＴＶセットの例の図を示す。
【図３】制御コマンド確認に関連する制御可能な装置の幾つかの詳細を、ブロック図の形で示す。
【図４（ａ）】制御コマンドを確認又はキャンセルするための処理のフロー図を示す。
【図４（ｂ）】制御コマンドを確認又はキャンセルするための処理のフロー図を示す。
【図５】例えば新たなリモートコントローラを装備する場合に、関連するコマンド情報を保存するために制御可能な装置を設定するための手順のフロー図を示す。
【図１】
2008507181.tif 000005
【図２】
2008507181.tif 000006
【図３】
2008507181.tif 000007
【図４ａ】
2008507181.tif 000008
【図４ｂ】
2008507181.tif 000009
【図５】
2008507181.tif 000010
【国際調査報告】
2008507181.tif 000011
2008507181.tif 000012
2008507181.tif 000013